(57)【要約】【課題】糸に液体を付与してからすぐに、この糸をノズルに挿入することが可能な、糸処理装置を提供すること。【解決手段】糸処理装置１は、ノズル４を含む糸処理ユニット２と、糸処理ユニット２に取り外し可能に装着された水付与ユニット３を有する。水付与ユニット３は、内部に水流路３３を有する本体部材３０と、この本体部材３０に取り付けられた２つの筒部材３１，３２を有する。２つの筒部材３１，３２の途中部には、切り欠き状の糸掛け部３１ｂ，３２ｂがそれぞれ形成されている。２つの糸掛け部３１ｂ，３２ｂには、本体部材３０内の水流路３３からそれぞれ水が供給される。これにより、２つの糸掛け部３１ｂ，３２ｂに掛けられた２本の糸Ｙ１に個別に水が付与される。【選択図】図２
2014237901.tif 000002
【特許請求の範囲】
【請求項１】
糸通路及びこの糸通路内に流体を噴射する流体噴射孔とを有するノズルを含む、糸処理ユニットと、
前記糸処理ユニットに設けられ、且つ、前記ノズルの前記糸通路に挿入される前の前記糸に液体を付与する液体付与部を有する、液体付与装置と、
を備えていることを特徴とする糸処理装置。
【請求項２】
前記ノズルには複数の糸が挿入され、
前記液体付与装置は、前記ノズルに挿入される前の前記複数の糸に、液体をそれぞれ付与する複数の液体付与部を有することを特徴とする請求項１に記載の糸処理装置。
【請求項３】
前記液体付与装置は、
液体が供給される液体供給部を有し、前記糸処理ユニットに取り付けられる本体部材と、
前記本体部材に設けられ、前記複数の糸がそれぞれ掛けられる複数の糸掛け部を有し、
前記本体部材の前記液体供給部から、前記複数の糸掛け部にそれぞれ液体が供給されて、前記複数の糸掛け部において前記複数の糸にそれぞれ液体が付与されることを特徴とする請求項２に記載の糸処理装置。
【請求項４】
前記本体部材に取り付けられた複数の筒部材を有し、
前記複数の筒部材の内部通路は、前記本体部材の前記液体供給部と連通し、
前記複数の筒部材に、前記複数の糸掛け部がそれぞれ形成されていることを特徴とする請求項３に記載の糸処理装置。
【請求項５】
前記筒部材の長さ方向途中部に、前記糸掛け部が切り欠き状に形成されていることを特徴とする請求項４に記載の糸処理装置。
【請求項６】
前記複数の筒部材は、それぞれ水平方向に沿って延びた姿勢で、上下方向に並べて配置され、
前記複数の筒部材の内径はそれぞれ等しく、
前記複数の筒部材のうちの、下側に位置する筒部材には、前記内部通路の流路抵抗を高める抵抗付与部が設けられていることを特徴とする請求項４又は５に記載の糸処理装置。
【請求項７】
前記複数の筒部材は、水平方向に並べて配置されていることを特徴とする請求項４又は５に記載の糸処理装置。
【請求項８】
前記糸掛け部の数が２つであり、
２つの前記糸掛け部が、前記ノズルの、前記複数の糸が挿入される糸挿入口を挟んで、互いに反対側に配置されていることを特徴とする請求項３〜７の何れかに記載の糸処理装置。
【請求項９】
前記液体付与装置は、前記糸処理ユニットに取り外し可能に装着されることを特徴とする請求項１〜８の何れかに記載の糸処理装置。
【発明の詳細な説明】
【技術分野】
【０００１】
本発明は、糸に対して流体を噴射してフィラメントに交絡やループ等を生じさせて、糸に嵩高性を付与する糸処理装置に関する。
【背景技術】
【０００２】
従来から、ノズル内を通過する合成樹脂等のフィラメントからなる糸に流体を噴射し、フィラメントに交絡やループ等を生じさせることにより、糸に嵩高性を付与する糸処理装置が知られている。また、上記の糸処理装置において、フィラメント同士の交絡効果を安定させるために、ノズルに挿入される前の糸部分に水を付与することが、従来から知られている。
【０００３】
特許文献１においては、紡糸口金からそれぞれ紡出された２本の糸をゴデットローラで引き揃えてから、スリットノズルに通して２本の糸にそれぞれ水を付与した後、２本の糸を糸処理装置に挿入することが記載されている。
【先行技術文献】
【特許文献】
【０００４】
【特許文献１】特開２０００−３０３２８０号公報（段落００３６、図２）
【発明の概要】
【発明が解決しようとする課題】
【０００５】
特許文献１においては、２本の糸に水を付与するスリットノズルが、糸処理装置のノズルから離れた位置に配置されている。しかし、糸処理装置において処理される糸に対して水を付与する位置は、以下のような理由から、糸処理装置にできるだけ近い方が好ましい。糸に水が付与された後、糸処理装置のノズルに挿入されるまでに、糸が長い距離走行することになると、その間に、付与された水の一部が糸から放散されて失われてしまう。それ故、必要以上の水を供給しなければならず、その分、水が無駄に消費されてしまうことになり、液体消費量の増加、及び、処理すべき排液量の増加等の観点で不利である。
【０００６】
本発明の目的は、糸に最小量の液体を付与してからすぐに、この糸をノズルに挿入することが可能な、糸処理装置を提供することである。
【課題を解決するための手段及び発明の効果】
【０００７】
第１の発明の糸処理装置は、糸通路及びこの糸通路内に流体を噴射する流体噴射孔とを有するノズルを含む、糸処理ユニットと、前記糸処理ユニットに設けられ、且つ、前記ノズルの前記糸通路に挿入される前の前記糸に液体を付与する液体付与部を有する、液体付与装置と、を備えていることを特徴とするものである。
【０００８】
本発明によれば、液体付与装置が糸処理ユニットに設けられているため、液体付与装置がノズルに近接する。そのため、液体付与装置の液体付与部において液体が付与された糸を、すぐにノズルに挿入することができる。これにより、糸がノズルに挿入されるまでに液体が放散して糸から失われることがなく、必要量の液体が付与された状態で糸がノズルに挿入されることから、ノズルにおける加工性が向上する。また、無駄に液体が消費されることがないため、液体の消費量を少なくすることができ、液体に関するコストを抑制できる。また、糸に液体を付与することによって糸の走行抵抗が増大するが、本発明では、液体が付与された後、すぐに糸がノズルに挿入されるため、液体が付与された状態で走行する距離はわずかであり、糸に水が必要以上に供給されることがないので、液体を無駄に消費することがない。
【０００９】
第２の発明の糸処理装置は、前記第１の発明において、前記ノズルには複数の糸が挿入され、前記液体付与装置は、前記ノズルに挿入される前の前記複数の糸に、液体をそれぞれ付与する複数の液体付与部を有することを特徴とするものである。
【００１０】
本発明では、ノズルに複数の糸が挿入されて、ノズルにおいて複数の糸のフィラメント間で交絡等を生じさせる。そのノズルへの挿入前に、複数の液体付与部により、複数の糸のそれぞれに対して個別に液体が付与される。これにより、それぞれの糸に液体が確実に付与されるため、ノズルにおける糸の加工性が向上する。
【００１１】
また、本発明では、複数の糸に対して別々の位置（液体付与部）で液体が付与されることから、水が付与された複数の糸の間でフィラメントが絡まるなどして糸切れが生じることが防止される。特に、コア＆エフェクト加工など、複数の糸の間で走行速度が異なる加工では、液体が付与された複数の糸が擦れ合ったときに糸切れが発生しやすいと考えられるが、このような加工の場合に、本発明は特に有効である。
【００１２】
第３の発明の糸処理装置は、前記第２の発明において、前記液体付与装置は、液体が供給される液体供給部を有し、前記糸処理ユニットに取り付けられる本体部材と、前記本体部材に設けられ、前記複数の糸がそれぞれ掛けられる複数の糸掛け部を有し、前記本体部材の前記液体供給部から、前記複数の糸掛け部にそれぞれ液体が供給されて、前記複数  の糸掛け部において前記複数の糸にそれぞれ液体が付与されることを特徴とするものである。
【００１３】
本発明では、複数の糸がそれぞれ掛けられる糸掛け部に液体が供給され、複数の糸は、複数の糸掛け部においてそれぞれ液体が付与される。つまり、糸をノズルにガイドする糸掛け部が、糸に液体を付与する液体付与部を兼ねていることから、構成が簡素化される。また、糸掛け部においては糸が確実に接触しており、このような糸掛け部に液体を供給することで、糸に液体を確実に付与することができる。
【００１４】
第４の発明の糸処理装置は、前記第３の発明において、前記本体部材に取り付けられた複数の筒部材を有し、前記複数の筒部材の内部通路は、前記本体部材の前記液体供給部と連通し、前記複数の筒部材に、前記複数の糸掛け部がそれぞれ形成されていることを特徴とするものである。
【００１５】
本発明では、本体部材の液体供給部から、筒部材の内部通路を介して糸掛け部に液体が供給され、糸掛け部に掛けられた糸に液体が付与される。
【００１６】
第５の発明の糸処理装置は、前記第４の発明において、前記筒部材の長さ方向途中部に、前記糸掛け部が切り欠き状に形成されていることを特徴とするものである。
【００１７】
筒部材の端部に糸掛け部が形成されている場合、内部通路を流れてきた液体の大部分が、糸に付与されることなく筒部材の端からそのまま流出してしまうことが考えられる。その場合、糸に液体を確実に付与するためには、筒部材の内部通路を流れる液体の量を多くする必要がある。この点、本発明では、筒部材の長さ方向途中部に、切り欠き状の糸掛け部が形成されている。筒部材の途中部に形成された切り欠きでは、液体の表面張力によって液体が保持されやすく、糸に液体が付与されやすい。つまり、液体の供給量が少なくても、糸に液体を確実に付与することができる。
【００１８】
第６の発明の糸処理装置は、前記第４又は第５の発明において、前記複数の筒部材は、それぞれ水平方向に沿って延びた姿勢で、上下方向に並べて配置され、前記複数の筒部材の内径はそれぞれ等しく、前記複数の筒部材のうちの、下側に位置する筒部材には、前記内部通路の流路抵抗を高める抵抗付与部が設けられていることを特徴とするものである。
【００１９】
複数の筒部材が上下方向に並べて配置されている構成では、液体供給側のヘッド圧によって、下側に位置する筒部材において液体が流れやすくなる。複数の筒部材の間で液体の流量が異なると、複数の糸の間で付与される液体の量が異なってしまうことから、複数の筒部材の間での液体流量の差を一定以下に抑えることが好ましい。この点、下側に位置する筒部材の内径を、上側に位置する筒部材よりも小さくすることによって、流路抵抗を大きくすることも考えられる。しかし、複数の筒部材の内径が異なると、液体の流量が同じであっても複数の糸掛け部における液体の保持力が異なることとなり、やはり、複数の糸の間で付与される液体の量が異なることになる。
【００２０】
そこで、本発明では、複数の筒部材の内径が全て等しくされた上で、下側に位置する筒部材には抵抗付与部が設けられることによって、この筒部材の流路抵抗が高められている。これにより、複数の筒部材の間で液体の流量差を小さくでき、さらに、複数の糸掛け部の間での液体の保持力もほぼ等しくできる。以上より、複数の糸の間で、付与される液体の量が大きく異なってしまうことを防止できる。
【００２１】
第７の発明の糸処理装置は、前記第４又は第５の発明において、前記複数の筒部材は、水平方向に並べて配置されていることを特徴とするものである。
【００２２】
複数の筒部材が水平方向に並べて配置されていると、複数の筒部材の間で内部通路内の液体に作用するヘッド圧が等しくなるため、それらの内部通路を流れる液体の流量ばらつきが小さくなる。
【００２３】
第８の発明の糸処理装置は、前記第３〜第７の何れかの発明において、前記糸掛け部の数が２つであり、２つの前記糸掛け部が、前記ノズルの、前記複数の糸が挿入される糸挿入口を挟んで、互いに反対側に配置されていることを特徴とするものである。
【００２４】
２つの糸掛け部が、ノズルの糸挿入口を挟んで互いに反対側に配置されているため、２本の糸が、糸挿入口よりも外側から、ノズルの軸線方向に対して斜めの方向に、糸挿入口へ挿入されることになる。これにより、糸通路内に噴射された流体の一部が、糸挿入口から排出される際に、その排出流体の影響を糸が受けにくくなる。また、２本の糸が糸挿入口を挟んで逆方向から挿入されることで、ノズルの糸通路内で２本の糸が絡みやすくなる。
【００２５】
第９の発明の糸処理装置は、前記第１〜第８の何れかの発明において、前記液体付与装置は、前記糸処理ユニットに取り外し可能に装着されることを特徴とするものである。
【００２６】
本発明によれば、液体付与装置の洗浄や交換等のメンテナンスを行う際に、この液体付与装置を糸処理ユニットから取り外すことができるため、液体付与装置のメンテナンスが容易である。
【図面の簡単な説明】
【００２７】
【図１】本実施形態の糸処理装置の正面図である。
【図２】糸処理装置の右側面図である。
【図３】水付与ユニットの鉛直断面図である。
【図４】変更形態の糸処理装置の上面図である。
【図５】別の変更形態の糸処理装置の側面図である。
【発明を実施するための形態】
【００２８】
次に、本発明の実施の形態について説明する。図１は、本実施形態の糸処理装置の正面図、図２は糸処理装置の右側面図である。尚、以下の説明の便宜上、装置の前後方向、左右方向、及び、上下方向を、図１、図２のように定義する。本実施形態の糸処理装置１は、ノズル４に供給される走行速度の異なる２本の糸Ｙ１（コア糸Ｙ１ａとエフェクト糸Ｙ１ｂ）を、ノズル４内に噴射されたエアによってフィラメントを開繊しつつ、これらのフィラメントに交絡及びループを生じさせて、１本の嵩高加工糸Ｙ２を生成する（コア＆エフェクト加工）。図１〜図３に示すように、糸処理装置１は、糸処理ユニット２と、この糸処理ユニット２に設けられた水付与ユニット３とを備えている。
【００２９】
（糸処理ユニット）
図１、図２に示すように、糸処理ユニット２は、ノズル４と、このノズル４を保持するノズルホルダ５と、ノズルホルダ５に設けられた衝突体６とを備えている。
【００３０】
図３、図４（ａ）に示すように、ノズル４は金属やセラミックス等の硬質材料により筒状に形成され、このノズル４の右端部には径方向に張り出したフランジ部４ａが設けられている。また、ノズル４の内部には左右方向に延びる糸通路１０が形成されている。ノズル４の右端部に位置するフランジ部４ａの端面には、２本の糸Ｙ１がそれぞれ挿入される糸挿入口１１が開口している。糸通路１０の右側部分は、前記糸挿入口１１から先端側（図中左側）に向かうほど内径が縮小する先細り状に形成されている。一方、フランジ部４ａと反対側の、ノズル４の左端面には糸Ｙ１が排出される糸排出口１２が開口している。糸通路１０の左側部分は、糸排出口１２に向かうほど内径が拡大する末広がり形状に形成されている。
【００３１】
ノズル４の左右方向中央部には、糸通路１０へ開口したエア噴射孔１４（流体噴射孔）が設けられている。尚、図１ではエア噴射孔１４が１つしか示されていないが、実際は、複数（例えば、３つ）のエア噴射孔１４がノズル４の周方向等間隔位置にそれぞれ配置されている。また、エア噴射孔１４は、ノズル４の半径方向（糸通路１０と直交する方向）に対して、糸通路１０の先端側（左側）へ傾斜して延びており、糸通路１０へエアを噴射したときに左方へ向かう強いエア流を発生させることができるようになっている。
【００３２】
図１〜図３に示すように、ノズルホルダ５は、やや前後に長い直方体形状に形成されている。ノズルホルダ５には、このノズルホルダ５を水平に貫通する装着孔２０が形成されている。装着孔２０には上述したノズル４が挿入される。また、装着孔２０の径はノズル４のフランジ部４ａの外径よりは小さくなっている。これにより、装着孔２０にノズル４の左端部が右側の開口から挿入装着される一方で、ノズル４の右端部に設けられたフランジ部４ａは装着孔２０に挿入されずにノズルホルダ５の右側面に当接し、これにより、ノズル４はノズルホルダ５に対して位置決めされる。
【００３３】
ノズルホルダ５の内部には上下に延びるエア供給孔（図示省略）が形成されており、さらに、このエア供給孔は図示しないエア供給源に接続される。ノズル４がノズルホルダ５の装着孔２０に装着された状態で、ノズル４に形成されたエア噴射孔１４が、ノズルホルダ５内のエア供給孔と連通する。これにより、エア供給源からエア供給孔を介してエア噴射孔１４にエアが供給され、エア噴射孔１４から糸通路１０へエアが噴射される。
【００３４】
図１、図２に示すように、衝突体６は、ノズルホルダ５の左側に配置され、ノズル４の糸排出口１２と対向している。衝突体６の形状は特に限定されるものではないが、図１では、円板状の衝突体が示されている。衝突体６の糸排出口１２との対向面（右側の面）は、平坦面、凹面、凸面など、様々な形状を採用しうる。また、円板状の他、衝突体６が球状であってもよい。
【００３５】
尚、衝突体６をノズル４の糸排出口１２と対向する位置に保持する構成は特に限定されるものではないが、本実施形態では一例として以下のような構成を採用している。まず、図１に示す糸処理ユニット２は、取付ベース部材２３とホルダ２４とを有する。取付ベース部材２３は、ノズルホルダ５の左側面にボルト等により固定されている。ホルダ２４は、取付ベース部材２３に、水平面（図１の紙面に直交する平面）内で回動自在に取り付けられている。また、このホルダ２４には連結棒２５の一端が固定され、連結棒２５の他端には衝突体６が固定されている。この構成では、ホルダ２４が取付ベース部材２３に対して、図１の姿勢から紙面手前側（前方）に回動したときに、衝突体６も一体に回動し、衝突体６は、ノズルホルダ５の糸排出口１２と対向する位置と、糸排出口１２から離れた退避位置にわたって移動可能である。そして、衝突体６を退避位置に移動させることにより、ノズル４内への糸通しを容易に行うことができるようになっている。
【００３６】
嵩高加工時の糸処理ユニット２の作用について説明する。それぞれ合成樹脂等のフィラメントからなる２本の糸Ｙ１（コア糸Ｙ１ａとエフェクト糸Ｙ１ｂ）が、後述する水付与ユニット３を経由してノズル４に供給される。２本の糸Ｙ１は異なる走行速度で、右側の糸挿入口１１からノズル４の糸通路１０内に挿入される。また、エア噴射孔１４から糸通路１０内にエアが噴射されることで、糸通路１０内には左方へ向かうエア流が発生している。
【００３７】
糸通路１０内に噴射されたエアの大部分は左側の糸排出口１２から排出され、さらに、糸排出口１２に対向して配置されている衝突体６に衝突する。このときのエアの流れに乗って、２本の糸Ｙ１は、衝突体６と、糸排出口１２が形成されたノズル４の左端面との間の隙間から排出される。このとき、糸排出口１２付近の激しいエアの流れによって２本の糸Ｙ１の構成フィラメントがほぐされ、さらに、個々のフィラメントが激しく運動することによってループや交絡等が発生することで、１本の嵩高加工糸Ｙ２が生成される。
【００３８】
尚、取付ベース部材２３には、ノズル４から排出された糸をガイドする糸ガイド２６が取付部材２７を介して設けられている。ノズル４において嵩高性が付与された１本の糸Ｙ２は、図１の手前側（図２では右側）に位置する糸ガイド２６を経由して上方へ案内される。
【００３９】
（水付与ユニット）
水付与ユニット３は、２本の糸Ｙ１の、ノズル４に挿入される前の糸部分にそれぞれ水を付与するものである。水付与ユニット３は、糸処理ユニット２のノズルホルダ５に、取り外し可能に装着されている。図３は、水付与ユニットの鉛直断面図である。尚、図３では、ノズル４と水付与ユニット３の位置関係が理解されやすくなるように、ノズル４を二点鎖線で示している。図１〜図３に示すように、水付与ユニット３（本発明の液体付与装置）は、本体部材３０と、２本の筒部材３１，３２とを備えている。
【００４０】
本体部材３０は、上下に長い直方体形状の部材である。本体部材３０は、ノズルホルダ５の右側面（ノズル４の糸挿入口１１が開口する側の側面）に、ノズル４の糸挿入口１１とは重ならないように、２本のネジ３７によって取り外し可能に取り付けられている。図２、図３に示すように、本体部材３０の上端部と下端部には、２つの水供給部３８（本発明の液体供給部）が設けられている。２つの水供給部３８の各々は、図示しない水供給装置とチューブ４１を介して接続される接続部３９と、水供給装置からの供給水量を調節する調節弁４０とが取り付けられている。また、本体部材３０の内部には、上下に延びる水流路が形成されている。水流路は、２つの水供給部の接続部３９とそれぞれ連通している。図示しない水供給装置から２つの水供給部３８に水がそれぞれ供給され、さらに、調節弁４０によって水量を調整された上で、水流路３３に供給される。
【００４１】
２本の筒部材３１，３２は、本体部材３０の上端部と下端部にそれぞれ取り付けられている。また、２本の筒部材３１，３２は、水平方向に沿って延びた姿勢で、上下方向に並べて配置されている。２本の筒部材３１，３２の基端部は、本体部材３０に、水流路３３が形成されている位置まで挿入されている。これにより、２本の筒部材３１，３２の内部通路３１ａ，３２ａは、水流路３３とそれぞれ連通している。２本の筒部材３１，３２は、ノズル４の糸挿入口１１を上下方向において挟むように配置されている。２本の筒部材３１，３２の内径ｄは互いに等しく、例えば、１．０〜２．０ｍｍ、好ましくは、１．５ｍｍである。一方で、２本の筒部材３１，３２の長さは異なっており、下方に位置する筒部材３２は上方に位置する筒部材３１よりも長い。また、下側の筒部材３２には、この筒部材３２の内径よりも小さい穴径のオリフィスプレート３６が設けられている。このオリフィスプレート３６により、下側の筒部材３２の内部通路３２ａの流路抵抗が高められている。
【００４２】
２本の筒部材３１，３２には、ノズル４の糸挿入口１１に挿入される２本の糸Ｙ１がそれぞれ掛けられる２つの糸掛け部３１ｂ，３２ｂが形成されている。より詳細には、筒部材３１，３２の長さ方向途中部の下側部分に切り欠きが形成されており、この切り欠き部が糸掛け部３１ｂ，３２ｂを構成している。糸掛け部３１ｂ，３２ｂは、筒部材３１，３２の内部通路３１ａ，３２ａまで切り欠かれており、糸掛け部３１ｂ，３２ｂにおいて内部通路３１ａ，３２ａが一部露出している。図２、図３に示すように、２つの切り欠き状の糸掛け部３１ｂ，３２ｂは、ノズル４に糸Ｙ１が挿入される右側から見て、糸挿入口１１と重ならない位置であって、且つ、糸挿入口１１に対して、上下方向において互いに反対側の位置に配置されている。
【００４３】
２本の糸Ｙ１は、２つの糸掛け部３１ｂ，３２ｂに掛けられて、ノズル４の糸挿入口１１にそれぞれガイドされる。具体的には、コア糸Ｙ１ａは、図１に示すように、ほぼ真上から供給され、糸掛け部３１ｂによって走行方向をやや左方に向けられて、ノズル４の糸挿入口１１に対して斜め上方から挿入される。また、エフェクト糸Ｙ１ｂは、図１に示すように、上方から糸掛け部３２ｂに向けて下方に走行し、糸掛け部３２ｂにおいて向きを上方に反転して、ノズル４の糸挿入口１１に対して斜め下方から挿入される。また、図２に示すように、２本の糸Ｙ１は、２つの糸掛け部３１ｂ，３２ｂにそれぞれガイドされることにより、角度θをなして糸挿入口１１に挿入される。この角度θは、例えば、１１０〜１２０度であることが好ましい。
【００４４】
ここで、本体部材３０の水流路３３と２つの筒部材３１，３２の内部通路は連通していることから、図示しない水供給装置から水流路３３に供給された水は、２つの筒部材３１，３２の内部通路３１ａ，３２ａのそれぞれを流れる。尚、内部通路３１ａ，３２ａを流れた水は、筒部材３１，３２の先端から排出される。ここで、糸掛け部３１ｂ，３２ｂは、筒部材３１，３２の途中部において切り欠き状に形成されている。切り欠き状の糸掛け部３１ｂ，３２ｂにおいては、表面張力の作用により水が保持される。この水が、糸掛け部３１ｂ，３２ｂに掛けられる糸Ｙ１に付与される。このように、２本の糸Ｙ１にそれぞれ水が付与された後、２本の糸Ｙ１がノズル４の糸通路１０内に挿入されることで、これらの糸Ｙ１に交絡等が生じやすくなり、ノズル４における加工性が向上する。
【００４５】
以上説明した本実施形態の糸処理装置１は、上記の水付与ユニット３を備えることによって、次のような効果が得られる。
【００４６】
（１）水付与ユニット３が糸処理ユニット２に設けられているため、水付与ユニット３がノズル４に近接している。従って、水付与ユニット３の糸掛け部３１ｂ，３２ｂにおいて水が付与された２本の糸Ｙ１を、すぐにノズル４に挿入することができる。従って、ノズル４に挿入されるまでに水が放散されて糸Ｙ１から失われることがなく、必要量の水が付与された状態で糸Ｙ１がノズル４に挿入されることから、ノズル４における糸の加工性が向上する。また、無駄に水が消費されることがないため、水の消費量を少なくすることができ、コストを抑制できる。また、水が付与された後、すぐに糸Ｙ１がノズル４に挿入されるため、水が付与された状態で糸Ｙ１が走行する距離はわずかであり、糸に水が必要以上に供給されることがないので、水を無駄に消費することがない。
【００４７】
（２）水付与ユニット３の２つの糸掛け部３１ｂ，３２ｂにおいて、ノズル４に挿入される２本の糸Ｙ１のそれぞれに対して個別に水が付与される。これにより、それぞれの糸Ｙ１に水が確実に付与され、ノズル４における糸の加工性が向上する。また、２本の糸Ｙ１に対して同じ位置で一度に水を付与することも可能であるが、その場合は、水が付与された２本の糸Ｙ１の間でフィラメントが絡まるなどして糸切れが生じる虞がある。特に、コア＆エフェクト加工では、２本の糸Ｙ１の間で走行速度が異なることから、水が付与された２本の糸Ｙ１が擦れ合ったときに糸切れが発生しやすいと考えられる。この点、本実施形態では、２本の糸Ｙ１に対して別々の位置で水が付与されることから、水を付与することに起因する糸切れ発生を防止できる。
【００４８】
（３）２本の糸Ｙ１がそれぞれ掛けられる２つの糸掛け部３１ｂ，３２ｂに水が供給され、２本の糸Ｙ１は、２つの糸掛け部３１ｂ，３２ｂにおいてそれぞれ水が付与される。つまり、糸Ｙ１をノズル４にガイドする糸掛け部３１ｂ，３２ｂが、糸Ｙ１に水を付与する水付与部を兼ねていることから、構成が簡素化される。また、糸掛け部３１ｂ，３２ｂにおいては糸Ｙ１が確実に接触しており、このような糸掛け部３１ｂ，３２ｂに水を供給することで、糸Ｙ１に水を確実に付与することができる。
【００４９】
（４）筒部材３１，３２の先端部に糸掛け部が形成されてもよいのだが、この場合、内部通路３１ａ，３２ａを流れてきた水が、糸掛け部にほとんど留まらず、糸Ｙ１に付与されることなく筒部材３１，３２の端からそのまま流出してしまうことが考えられる。その場合、糸Ｙ１に水を確実に付与するには筒部材３１，３２を流れる水の量を多くする必要があり、水の消費量（無駄に捨てられる量）も多くなる。この点、本実施形態では、筒部材３１，３２の途中部に切り欠き状の糸掛け部３１ｂ，３２ｂが形成されている。筒部材３１，３２の途中部に形成された切り欠きでは、表面張力によって水が保持されやすく、従って、糸Ｙ１に水が付与されやすい。つまり、水の供給量が少なくても、糸Ｙ１に水を確実に付与することができる。
【００５０】
（５）本実施形態では、２本の筒部材３１，３２が上下方向に並べて配置されていることから、ヘッド圧の影響で、下側に位置する筒部材３２において水が流れやすくなっている。尚、下側の筒部材３２は、上側の筒部材３１よりも少し長いことから、その影響で多少は下側の筒部材３２の流路抵抗が大きくなっているが、その程度では、ヘッド差による流量差を解消するまでには至らない。２本の筒部材３１，３２の間で水量が異なると、２本の糸Ｙ１の間で付与される水の量が異なってしまうことから、２本の筒部材３１，３２の間での内部通路を流れる水量の差を一定以下に抑えたい。
【００５１】
これについて、下側の筒部材３２の内径を、上側の筒部材３１よりも小さくすることによって、下側の筒部材３２の内部通路３２ａの流路抵抗を大きくすることも考えられる。しかし、２本の筒部材３１，３２の内径が異なると、たとえ水の流量が同じであっても、２つの糸掛け部３１ｂ，３２ｂにおける水の保持力が異なることになり、結局、２本の糸Ｙ１に付与される水の量が異なってしまう。本実施形態では、２本の筒部材３１，３２の内径が等しくされた上で、下側に位置する筒部材３２にはオリフィスプレート３６（抵抗付与部）が設けられることによって、下側の筒部材３２の内部通路３２ａの流路抵抗が高められている。これにより、２つの筒部材３１，３２の間での水の流量差を小さくでき、さらに、２つの糸掛け部３１ｂ，３２ｂの間での水の保持力もほぼ等しくできる。以上より、２本の糸Ｙ１の間で、付与される水の量が大きく異なってしまうことを防止できる。
【００５２】
（６）本実施形態では、２つの糸掛け部３１ｂ，３２ｂが、ノズル４の糸挿入口１１を挟んで、上下方向において互いに反対側に配置されている。そのため、図１に示すように、２本の糸Ｙ１が、糸挿入口１１の径方向外側から、ノズル４の軸線方向（左右方向）に対して斜めに糸挿入口１１に挿入される。エア噴射孔１４から糸通路１０内に噴射されたエアは、主に、糸排出口１２から排出されるが、一部は、糸挿入口１１からも排出される。しかし、２本の糸Ｙ１は、糸挿入口１１に対して径方向外側から斜めに挿入されるために、糸挿入口１１から排出されるエアの流れの影響を受けにくくなる。また、２本の糸Ｙ１が糸挿入口１１を挟んで逆方向から挿入されることで、ノズル４の糸通路１０内で２本の糸Ｙ１が絡みやすくなることから、ノズル４における加工性の面からも上記構成は好ましい。
【００５３】
（７）水付与ユニット３は、糸処理ユニット２から取り外し可能に装着されている。従って、水付与ユニット３の洗浄や交換等のメンテナンスを行う際に、この水付与ユニット３を糸処理ユニット２から取り外すことができるため、水付与ユニット３のメンテナンスが容易である。
【００５４】
次に、前記実施形態に種々の変更を加えた変更形態について説明する。但し、前記実施形態と同様の構成を有するものについては、同じ符号を付して適宜その説明を省略する。
【００５５】
１］前記実施形態では、２つの筒部材３１，３２が上下方向に並べて配置されているが故に、ヘッド圧の違いによって２つの筒部材３１，３２で水の流量が異なることとなっていた。これに対し、図４に示すように、２つの筒部材３１，３２が、水平方向に並べて配置されていてもよい。尚、図４の糸処理装置１Ａは、前記実施形態の図２の糸処理装置１と、装置構成は全く同じであるが、図２に対して鉛直面内で９０度回転した姿勢で配置されており、図４は上面図である。つまり、図４の紙面に平行な面は水平面を示し、２つの筒部材３１，３２が同一の水平面に沿って配置されている。この構成では、２つの筒部材３１，３２が水平方向に並べて配置されていることで、２つの筒部材３１，３２の内部通路内の水に作用するヘッド圧が等しくなり、それらの内部通路３１ａ，３２ａを流れる水の流量差が小さくなる。従って、前記実施形態のように、一方の筒部材３２の内部通路３２ａにオリフィスプレート３６等の抵抗付与部を設ける必要はない。
【００５６】
２］水付与ユニット３の構成は、前記実施形態のものには限られず、１本の糸Ｙ１に個別に水を付与できるような構成であれば、適宜変更可能である。
【００５７】
例えば、筒部材３１，３２の途中部ではなく、それらの先端部に糸掛け部３１，３２ｂが形成されていてもよい。また、糸掛け部３１ｂ，３２ｂが、糸に水を付与する水付与部を兼ねている必要もなく、糸掛け部３１ｂ，３２ｂとは別に、水付与部が設けられてもよい。
【００５８】
３］水付与ユニット３が、水を付与する糸Ｙ１の本数は２本に限られるものではない。例えば、水付与ユニット３が、３本以上の糸Ｙ１にそれぞれ水を付与する３以上の水付与部を備えていてもよい。例えば、コア＆エフェクト加工において、１本のコア糸Ｙ１ａと２本以上のエフェクト糸Ｙ１ｂをノズル４に挿入して加工する場合が考えられる。
【００５９】
また、水付与ユニット３が、１本の糸Ｙ１にしか水をつけない構成であってもよい。例えば、図５の糸処理装置１Ｂでは、上側の筒部材３１の内部通路３１ａは、水供給部３８には連通しておらず、上側の糸掛け部３１ｂには水が供給されない構成である。この構成では、下側の筒部材３２の糸掛け部３２ｂに掛けられる糸Ｙ１ｂにのみ水が付与される。
【００６０】
また、本発明は、複数の糸Ｙ１がノズル４に挿入されるような加工にも限られない。糸の嵩高加工としては、上記のコア＆エフェクト加工の他、１本の糸Ｙ１をノズル４に挿入し、この１本の糸Ｙ１の構成フィラメントを開繊して、これらフィラメント間で交絡等を形成する、いわゆる、シングル加工もよく知られている。このシングル加工の場合においても、水付与ユニット３によって、ノズル４に挿入される直前の１本の糸Ｙ１に水を付与することにより、少ない水量でもフィラメントに交絡等を効果的に付与することができる。
【００６１】
４］水付与ユニット３が、糸処理ユニットに対して取り外し可能である必要は必ずしもない。例えば、水付与ユニット３の本体部材３０が、接着や溶着等の方法によって、糸処理ユニット２に取り外し不能に固定されてもよい。
【００６２】
５］糸処理ユニット２の構成は、前記実施形態のものに限られない。例えば、ノズル４の内部の糸通路１０の形状は適宜変更できる。また、フランジ部４ａが備えていないノズルであってもよい。また、ノズル４から排出された糸Ｙ２をガイドする糸ガイド２６（図１参照）の位置や個数等も適宜変更可能である。
【００６３】
６］糸Ｙ１に付与する液体は水には限られない。例えば、糸に油剤を付与する場合においても、本発明を適用することが可能である。
【符号の説明】
【００６４】
１  糸処理装置
２  糸処理ユニット
３  水付与ユニット
４  ノズル
１０  糸通路
１１  糸挿入口
１４  エア噴射孔
３０  本体部材
３１  筒部材
３１ａ  内部通路
３１ｂ  糸掛け部
３２  筒部材
３２ａ  内部通路
３２ｂ  糸掛け部
３８  水供給部
３６  オリフィスプレート
Ｙ１  糸
Ｙ２  糸
【図１】
2014237901.tif 000003
【図２】
2014237901.tif 000004
【図３】
2014237901.tif 000005
【図４】
2014237901.tif 000006
【図５】
2014237901.tif 000007